(57)【特許請求の範囲】
【請求項１】
隣り合う溶解室及び凝固室を隔てる隔壁を貫いて与えられたタンディッシュを介して該溶解室内の溶湯金属を該凝固室内の回転冷却ロール上に出湯させて凝固金属片を得るための急冷凝固装置における出湯量の計測方法であって、
前記回転冷却ロールを冷却する冷媒の入口温度と出口温度との差分並びに前記冷媒の流量及び比熱に基づいて、前記冷媒による出湯開始から所定時間までの持ち去り熱量Ｑを算出する計測手段において、前記所定時間までの前記持ち去り熱量Ｑと前記凝固金属片の回収重量Ｗとの実測値の組について、異なる前記所定時間の前記組の複数から一次近似関数を求め、計測して得られる前記持ち去り熱量Ｑに対して前記一次近似関数から前記回収重量Ｗを得てこれを前記出湯量とすることを特徴とする計測方法。
【請求項２】
前記持ち去り熱量Ｑは単位時間あたりの前記冷媒の吸収熱量を積算した熱量であることを特徴とする請求項１記載の計測方法。
【請求項３】
前記持ち去り熱量Ｑは単位時間あたりの前記冷媒の吸収熱量を積算した熱量に前記回転冷却ロールが出湯開始から前記所定時間までに吸収した含熱量を加算した熱量であることを特徴とする請求項１記載の計測方法。
【発明の詳細な説明】
【技術分野】
【０００１】
本発明は、タンディッシュを介して溶解室内の溶湯金属を凝固室内の回転冷却ロール上に出湯して凝固金属片を得る急冷凝固装置における出湯量の計測方法に関し、特に、溶湯金属の注湯作業中における出湯量の計測方法に関する。
【背景技術】
【０００２】
磁性粉体などを得るための急冷凝固金属片を製造する急冷ロール法を用いた急冷凝固装置が知られている。例えば、特許文献１では、溶解炉（るつぼ）から溶湯金属をタンディッシュで受け、この底部のノズルから回転冷却ロールの冷却面上へ溶湯金属を出湯させる急冷凝固装置の構造が開示されている。ここでは、隔壁によって隔てられた溶解室と凝固室（冷却固化室）とを備え、隔壁を貫くようにタンディッシュが与えられている。溶解室内の溶解炉において溶解・精錬された溶湯金属は凝固室内の回転冷却ロール上にタンディッシュ介して注湯され、急冷凝固した金属片を得られるのである。
【０００３】
上記したような急冷凝固装置の溶解炉からタンディッシュへの溶湯金属の注湯作業において、注湯の継続及び停止の判断は注湯作業を行っている作業者の経験と勘によって行われることが多い。つまり、閉鎖空間である溶解室内にあるタンディッシュに貯留されている溶湯金属の量を作業者が目視等によって確認することは困難であり、タンディッシュから溶湯金属をオーバーフローさせないように、しかも効率よく注湯作業を行うことは作業者の経験等に頼らざるを得なかったのである。そこで、作業者の経験等によらず、出湯量を注湯作業中に計測する方法が求められた。
【０００４】
ところで、鋳型に溶湯金属を注湯する鋳造装置などの各種装置において、溶湯金属の重量や湯面高さを測定して、注湯作業中に出湯量を計測する方法が提案されている。
【０００５】
例えば、特許文献２では、傾動させて精錬した溶鋼（溶湯金属）を鋳型に鋳込む真空溶解炉において、鋳型に注湯された溶鋼の重量を計測し、これを真空溶解炉からの出湯量として表示させる方法が開示されている。ここでは、真空溶解炉の下端に接続されて真空溶解炉を傾動させるチェインにばね秤を取り付け、真空溶解炉を傾動させたときにチェインに付与される荷重を計測している。かかる荷重から真空溶解炉に残存する溶鋼の重量を算出し、これを真空溶解炉において精錬した溶鋼の総重量から差し引いて、出湯量を計測するのである。作業者は真空溶解炉からの出湯量を把握できて、例えば、真空溶解炉から複数個の鋳型に連続して鋳込み作業を行う場合であっても、注湯不足やオーバーフローを防止できるとしている。
【０００６】
また、特許文献３では、真空上注ぎ鋳造装置において、鋳型に注湯した溶鋼の重量や湯面高さなどから出湯量を監視する方法が開示されている。ここでは、中間鍋に溶鋼を注湯する親鍋がクレーンに吊り下げられており、その総重量を測定可能である。また、鋳型に溶鋼を注湯する中間鍋及び鋳型の双方では、注湯された溶鋼の湯面高さが測定可能である。これにより親鍋の重量と中間鍋の湯面高さに基づいて鋳型への出湯量を計測できる。また、鋳型の湯面高さに基づいても鋳型への出湯量を計測できる。
【先行技術文献】
【特許文献】
【０００７】
【特許文献１】特開２００２−６６６９８号公報
【特許文献２】特開昭５４−１４１３３６号公報
【特許文献３】特開２０１３−３９５８８号公報
【発明の開示】
【発明が解決しようとする課題】
【０００８】
上記した急冷ロール法を用いた急冷凝固装置において、タンディッシュ下端の出湯口から冷却ロールに向けて溶湯金属を連続して出湯させ、また出湯が完了しないままタンディッシュへ溶湯金属を溶解炉から注ぎ足すこともあるため、単純にタンディッシュの重量を測定し、また、湯面高さを測定しても出湯量を計測できない。また、回収された凝固金属片の重量を逐次測定し出湯量を連続的に計測（予測）し得るが、飛散して来る凝固金属片の重量を連続的に精度良く測定することは難しい。
【０００９】
本発明は、上記したような状況に鑑みてなされたものであって、その目的とするところは、急冷ロール法を用いた急冷凝固装置において、注湯作業中における出湯量をできるだけ正確に計測する方法を提供することにある。
【課題を解決するための手段】
【００１０】
本発明による計測方法は、隣り合う溶解室及び凝固室を隔てる隔壁を貫いて与えられたタンディッシュを介して該溶解室内の溶湯金属を該凝固室内の回転冷却ロール上に出湯させて凝固金属片を得るための急冷凝固装置における出湯量の計測方法であって、前記回転冷却ロールを冷却する冷媒の入口／出口温度及び流量から前記冷媒による所定時間までの持ち去り熱量Ｑを計測する計測手段において、前記所定時間までの前記持ち去り熱量Ｑと前記凝固金属片の回収重量Ｗとの実測値の組について、異なる前記所定時間の前記組の複数から一次近似関数を求め、計測して得られる前記持ち去り熱量Ｑに対して前記一次近似関数から前記回収重量Ｗを得てこれを前記出湯量とすることを特徴とする。
【００１１】
かかる発明によれば、急冷ロール法を用いた急冷凝固装置における注湯作業中であってもタンディッシュからの出湯量を計測でき、例えば、出湯が完了しないままタンディッシュへ溶湯金属を溶解炉から注ぎ足しても出湯量を計測出来てかかる注ぎ足し作業も容易となる。
【００１２】
上記した発明において、前記持ち去り熱量Ｑは単位時間あたりの前記冷媒の吸収熱量を積算した熱量であることを特徴としてもよい。かかる発明によれば、急冷ロール法を用いた急冷凝固装置における注湯作業中であっても出湯量を容易に計測できる。
【００１３】
上記した発明において、前記持ち去り熱量Ｑは単位時間あたりの前記冷媒の吸収熱量を積算した熱量に前記回転冷却ロールを加熱するのに要した含熱量を加算した熱量であることを特徴としてもよい。かかる発明によれば、急冷ロール法を用いた急冷凝固装置における注湯作業中であっても出湯量をより正確に、特に、少量の凝固金属片を得ようとする場合であっても正確に計測できる。
【図面の簡単な説明】
【００１４】
【図１】急冷ロール法を用いた急冷凝固装置の側断面図である。
【図２】冷却ロールの斜視図である。
【図３】出湯量計測システムのブロック図である。
【図４】本発明による計測方法を示すフロー図である。
【図５】持ち去り熱量Ｑ（＝Ｑ１）に対する金属片の回収重量の関係を示す図である。
【図６】持ち去り熱量Ｑ（＝Ｑ１＋Ｑ２）に対する金属片の回収重量の関係を示す図である。
【図７】金属片の回収重量と出湯量計測値との関係を示す図である。
【図８】出湯時間と出湯量計測値との関係を示す図である。
【発明を実施するための形態】
【００１５】
本発明に用いられる急冷ロール法を用いた急冷凝固装置の１つの例について、図１及び図２を用いて説明する。
【００１６】
図１に示すように、急冷凝固装置１０は、その内部空間の雰囲気及び／又は圧力を真空又は不活性ガス雰囲気に独立して制御可能な溶解室１を備える。また、隔壁３によって溶解室１と隔てられてその下方に隣接する、同様に雰囲気及び圧力を独立して制御可能な凝固室２を備える。溶解室１はその内部に誘導加熱によって所与の金属を溶解可能な溶解炉４を収容している。溶解炉４の上部には添加物を溶解炉４内に投入できるような図示しない添加チャンバーなどを備えていてもよい。
【００１７】
さらに隔壁３を貫いてその上部を溶解室１内で開口させたタンディッシュ５が備えられる。タンディッシュ５は、耐火物製のるつぼであり、抵抗加熱によって内部に貯留した溶湯金属を加熱できる。また、タンディッシュ５は、傾動された溶解炉４から注湯される溶湯金属を上部の開口から受け得るように配置されるとともに、貯留した溶湯金属を整流して底部の出湯口６から凝固室２内において後述する冷却ロール１１の表面へ向けて出湯させ得る。
【００１８】
凝固室２はその内部に、冷却ロール１１及び金属片回収装置２０を収容している。金属片回収装置２０は、冷却ロール１１によって冷却されて薄板状に凝固した金属片を回収するための装置であり、スクレーパ２１と衝突板２２と回収容器２３とを含む。スクレーパ２１はブレード状の先端部を冷却ロール１１の表面に近接させるように配置され、凝固した帯状の金属片を冷却ロール１１の表面に残存させないようこれを剥離させる。衝突板２２は、遠心力やスクレーパ２１によって剥離された金属片を衝突させて破砕しつつ回収容器２３内に落下させるため、主面を冷却ロール１１に向けて立設されている。回収容器２３は、冷却ロール１１から剥離された金属片を回収するための盆状容器であり、衝突板２２の下側に配置されている。
【００１９】
図２に示すように、冷却ロール１１は、銅合金等の高い熱伝導率を有する金属からなる冷却表面を備える回転冷却ロールであって、図示しない駆動装置によってその回転を制御可能である。回転させた冷却ロール１１の表面に溶湯金属を注ぐことで、溶湯金属が回転方向に導かれつつ急冷凝固され所定厚さの帯状の金属片となる。ここで、冷却ロール１１は、液体からなる各種冷媒、ここでは冷却水を回転軸の一端側の冷却水入口１２から供給させ、内部空間の水路１４を通過させて他端側の冷却水出口１３から排出させることができる。
【００２０】
図３に示すように、急冷凝固装置１０には、出湯量の計測システム３０として計測部３１、演算部３５、表示部３６が備えられる。
【００２１】
計測部３１は、冷却ロール１１の冷却水の入口温度、出口温度及び流量を計測する手段であり、冷却水入口１２に接続し冷却水の入口温度を計測する温度計３２と、冷却水出口１３に接続し冷却水の出口温度を計測する温度計３３と、冷却水の単位時間あたりの流量を計測する流量計３４とを含む。温度計３２、温度計３３及び流量計３４はそれぞれ冷却水の入口温度、出口温度及び単位時間あたりの流量に対応する電気信号を演算部３５に送出できる。
【００２２】
演算部３５は、計測部３１からの電気信号と併せて、出湯の開始を示す信号を入力されて出湯開始からの経過時間を計測するとともに、後述する方法により演算を行うことで出湯量を計測する。出湯の開始を示す信号は、例えば、溶解炉４の傾動に基づき得られるようにし得る。演算部３５は演算の結果を出湯量の計測値として、画像表示装置からなる表示部３６に送出できる。表示部３６は、注湯作業を行う作業者に向けて出湯量の計測値を表示させることができる。
【００２３】
続いて、冷却ロール１１の表面に注湯された溶湯金属の量、すなわち出湯量を計測する方法について、図４に沿って説明する。
【００２４】
まず、溶解炉４から溶湯金属をタンディッシュ５に注湯する前実験によって冷媒の持ち去り熱量Ｑとこれに対応する金属片の回収重量Ｗを実測しておく（Ｓ１）。この注湯試験では、溶湯金属の出湯中における冷却水の入口温度、出口温度及び流量を計測し、出湯の開始から出湯の終了までの時間についての冷却水の持ち去り熱量Ｑを算出し、回収容器２３内の金属片の最終回収重量Ｗ’を計測する。なお、持ち去り熱量Ｑは、溶湯金属の出湯量に対する関数であればよく、熱量を無次元化した値であってもよい。
【００２５】
持ち去り熱量Ｑは、例えば以下のように与えられる。すなわち、タンディッシュ５から出湯された溶湯金属は冷却ロール１１によって急冷凝固されて金属片となるが、単位時間内に冷却ロール１１によって奪われる溶湯金属の熱量は、溶湯金属から冷却ロール１１に移動した熱量である。これは同時間内に溶湯金属の凝固した量、つまり、出湯量に比例する。このとき、冷却ロール１１の温度を一定に維持するなら、溶湯金属から冷却ロール１１に移動した熱量は、冷却水の持ち去った熱量に等しく、これを持ち去り熱量Ｑとする。
【００２６】
具体的な持ち去り熱量Ｑの算出方法としては、単位時間あたりの冷却水の吸収熱量を用いて、その積算値Ｑ１として算出する（Ｑ＝Ｑ１）。すなわち、冷却水の比熱をＣ［Ｊ／ｋｇ／Ｋ］、出湯開始時間ｔ＝０からの時間をｔ［ｓｅｃ］とし、時間ｔのときのそれぞれ冷却水の出口温度をＴ１［Ｋ］、入口温度をＴ２［Ｋ］、冷却ロール１１に供給される冷却水の流量をｍ［ｋｇ／ｓｅｃ］とすると、冷却水が冷却ロール１１から吸収する熱量である単位時間あたりの吸収熱量の積算値Ｑ１［Ｊ］は、以下の式１で表すことができる。
Ｑ１＝∫｛（Ｔ１−Ｔ２）×ｍ×Ｃ｝ｄｔ    （式１）
【００２７】
そして、出湯終了時までの単位時間あたりの冷却水の吸収熱量を積算した積算値Ｑ１を式１により求めこの持ち去り熱量Ｑ（＝Ｑ１）に対応する注湯作業の完了後の回収容器２３からの金属片の最終回収重量Ｗ’を回収重量Ｗとする。なお、出湯中であっても、回収容器２３内の回収重量Ｗを求めることが出来るときはこの持ち去り熱量Ｑ及び回収重量Ｗを用いても良い。
【００２８】
次に、出湯の完了までの出湯時間の異なる注湯試験を少なくとも２回以上繰り返し、持ち去り熱量Ｑ及び回収重量Ｗの組を複数得る。これらの組によって回帰計算によるＱとＷの一次近似関数を求める（Ｓ２）。すなわち、図５に示すように、複数回の注湯試験を行って計測された持ち去り熱量Ｑと回収容器２３に回収された金属片の回収重量Ｗとの組のプロット点Ｐから一次近似関数Ｌ１を求めるのである。
【００２９】
次に、実際の注湯作業中に計測される持ち去り熱量Ｑに対して一次近似関数Ｌ１から金属片の回収重量Ｗを求める（Ｓ３）。つまり、冷却水の入口温度、出口温度及び流速を出湯の開始ｔ＝０から計測し、所定の時間までの持ち去り熱量Ｑを式１によって計算し、一次近似関数Ｌ１によって回収重量Ｗを求める。持ち去り熱量Ｑは連続して得られるから、回収重量Ｗも連続して得られ、後述するように、出湯量も連続して得られるのである。
【００３０】
ところで、タンディッシュ５が空になるまでの出湯時間の異なる場合、つまり、タンディッシュ５内に初期に貯留される溶湯金属の量の異なる場合、湯面高さが異なるために出湯速度も異なる。故に、出湯量は必ずしも出湯時間には比例しない。一方、出湯速度の差があっても、回収重量Ｗは持ち去り熱量Ｑには比例し、出湯後だけでなく出湯中の回収容器２３内の回収重量Ｗも同様である。また、タンディッシュ５へ溶湯金属を溶解炉４から注ぎ足しても同様である。更に、回収重量Ｗは出湯量でもある。そこで、一次近似関数Ｌ１から求められた回収重量Ｗを出湯量として、持ち去り熱量Ｑから出湯量を計測できる（Ｓ４）。
【００３１】
更に、上記したように、持ち去り熱量Ｑは溶湯金属の出湯量に対する関数、ここでは一次関数であればよい。例えば、溶湯金属から奪われる熱量には冷却ロール１１を加熱する熱量も含まれ、出湯開始後、冷却ロール１１の温度が安定するまではかかる熱量の影響が大である。そこで、冷却ロール１１を加熱するのに要した熱量である含熱量Ｑ２を算出し、上記した単位時間あたりの吸収熱量の積算値Ｑ１に加算して補正するようにしてもよい。これによって、少ない出湯量をより正確に計測できる。
【００３２】
具体的には、冷却ロール１１の含熱量Ｑ２［Ｊ］は、冷却水の吸収する熱量の一定量が残留したものとして、その割合を示す係数Ｂを用いて以下の式２で表すことができる。
Ｑ２＝Ｂ×｛（Ｔ１−Ｔ２）×ｍ×Ｃ｝    （式２）
【００３３】
つまり、上記した一次近似関数Ｑ−Ｗは、単位時間あたりの吸収熱量の積算値Ｑ１に冷却ロール１１の含熱量Ｑ２を加算してこれに傾き係数Ａを乗じた以下の式３で表すことができる。
Ｗ＝Ａ×（Ｑ１＋Ｑ２）    （式３）
【００３４】
式３に式１及び式２を代入すると、回収重量（出湯量）Ｗ［ｋｇ］は以下の式４で表すことができる。
Ｗ＝Ａ×［∫｛（Ｔ１−Ｔ２）×ｍ×Ｃ｝ｄｔ＋Ｂ×｛（Ｔ１−Ｔ２）×ｍ×Ｃ｝］    （式４）
つまり、
Ｗ＝Ａ×Ｃ×［∫｛（Ｔ１−Ｔ２）×ｍ｝ｄｔ＋Ｂ×（Ｔ１−Ｔ２）×ｍ］    （式４’）
となり、［∫｛（Ｔ１−Ｔ２）×ｍ｝ｄｔ＋Ｂ×（Ｔ１−Ｔ２）×ｍ］を横軸にＷを縦軸に図５を変更し得る。なお、係数Ｂについては、冷却ロール１１の安定温度を上記した前実験で測定しておいてあらかじめ得ておくことが可能である。
【００３５】
ところで、図６では、前実験で得られた係数Ｂ＝０．１２を用いて、持ち去り熱量Ｑ＝Ｑ１＋Ｑ２を横軸に、回収重量Ｗを縦軸にしたグラフを示す。つまり、上記したと同様に、複数回の注湯試験を行って計測された持ち去り熱量Ｑと回収容器２３に回収された金属片の回収重量Ｗとの組のプロット点Ｐ（ここでは２つを示した）から一次近似関数Ｌ２を求めた。
【００３６】
以下では、含熱量Ｑ２による補正を与えて得た一次近似関数Ｌ２により出湯量を計測した結果について説明する。
【００３７】
図７には、溶解炉４からＭ［ｋｇ］以下の各量の溶湯金属をタンディッシュ５に注湯したときの回収容器２３内の金属片の回収重量Ｗと、一次近似関数Ｌ２を用いて求めた出湯量の計測値との関係を示した。なお、プロット点ｐ１及びｐ２は、それぞれ出湯終了時、及び、出湯途中での値である。後者については、出湯中に回収容器２３から金属片を取り出し、その重量を測定したものである。
【００３８】
プロット点ｐ１から得られる一次近似直線Ｌ３は傾き１であり、一次近似関数Ｌ２を用いて求めた出湯量が実際の金属片の回収重量とほぼ一致することを表している。更に、プロット点ｐ２も同様であり、出湯終了時だけでなく、出湯中においても出湯量を精度良く計測できることが確認された。
【００３９】
なお、図８では、溶解炉４から所定量（Ｍ［ｋｇ］）の溶湯金属をタンディッシュ５に注湯したとき、出湯量がどのように時間変化するかを一次近似関数Ｌ２を用いて計算したものである。出湯開始後から時間の経過に従って、出湯速度（傾き）が小さくなる。これは、タンディッシュ５に貯留されている溶湯金属の湯面高さが徐々に低くなり、出湯口６からの単位時間あたりの出湯量が減少するためである。このように、出湯量は時間に対して単純に比例しない。一方で上記したように、出湯量は持ち去り熱量Ｑに対しては比例するのである。
【００４０】
以上のように、上記した実施例による出湯量の計測方法によれば、急冷ロール法を用いた急冷凝固装置１０において、注湯作業中に出湯量を精度良く計測することができる。
【００４１】
なお、上記した計測システム３０による出湯量の計測においては、演算部３５において上記した一次近似関数Ｌ１やＬ２に基づく演算を行うことで、表示部３６に出湯量を表示できる。作業者は、出湯量の計測値を表示部３６で確認しながら注湯作業を行うことができ、注湯不足による作業効率の低下やタンディッシュ５からの溶湯金属のオーバーフローを防止できる。
【００４２】
以上、本発明による実施例及びこれに基づく変形例を説明したが、本発明は必ずしもこれに限定されるものではなく、当業者であれば、本発明の主旨又は添付した特許請求の範囲を逸脱することなく、様々な代替実施例及び改変例を見出すことができるであろう。
【符号の説明】
【００４３】
１    溶解室
２    凝固室
３    隔壁
４    溶解炉
５    タンディッシュ
１１  冷却ロール
３０  計測システム
３１  計測部
３５  演算部
【図１】
0006428260.tif 000002
【図２】
0006428260.tif 000003
【図３】
0006428260.tif 000004
【図４】
0006428260.tif 000005
【図５】
0006428260.tif 000006
【図６】
0006428260.tif 000007
【図７】
0006428260.tif 000008
【図８】
0006428260.tif 000009